(57)【要約】【課題】筆記具を持ち上げ握持すること自体が困難な、より重度の障害者でも使用することができる、使用性の点でさらに前進した新たな機能を有する筆記具を提供する。【解決手段】略円盤形の本体部１と、本体部の外周部分から略接線方向に一体に突出形成された突出部２と、突出部２の先端に突出して設けられたペン先部３とを具備し、本体部１の外周面の一箇所を接地せしめた状態でペン先部３により接地面に筆記可能とした。【選択図】      図１
2011025509.tif 000002
【特許請求の範囲】
【請求項１】
略円盤形の本体部と、本体部の外周部分から略接線方向に一体に突出形成された突出部と、突出部の先端に突出して設けられたペン先部とを具備し、本体部の外周面の一箇所を接地せしめた状態でペン先部により接地面に筆記可能としたことを特徴とする筆記具。
【請求項２】
前記本体部と前記突出部はプラスチックにより一体に成形されており、前記ペン先部は突出部の先端に着脱自在に設けられ、全体として人の手の中になじむ大きさとされ、外周全体が曲面により形成されていることを特徴とする請求項１に記載の筆記具。
【請求項３】
前記突出部は、前記本体部の中心線と略平行する本体部の外周面の接線の略延長上に形成され、本体部に対し略鳥の嘴状に一体に突出形成されていることを特徴とする請求項１又は２に記載の筆記具。
【請求項４】
前記本体部の内面には、外形円形状であって緩やかな凹曲面を有する凹部が一体に形成されていることを特徴とする請求項１乃至３のいずれかに記載の筆記具。    
【請求項５】
前記本体部の内面には、外形円形状の透明カバーが着脱自在に設けられ、透明カバーの内部には文字若しくは模様による表示部が形成されていることを特徴とする請求項１乃至３のいずれかに記載の筆記具。
【発明の詳細な説明】
【技術分野】
【０００１】
本発明は、ボールペン、シャープペンシル、鉛筆など各種の筆記用具として使用可能な筆記具にかかり、特に、手が不自由な人が容易に用いることができる筆記具に関するものである。
【背景技術】
【０００２】
一般に使用されている筆記具は、棒状体をなし、この棒状体を親指、人指し指、中指の三本の指で支持して使用する。
しかしながら、従来一般に用いられる筆記具は、主として上記三本の指で支持して使用するものであるため、一定の握持力が必要である。このため、手指に障害を持つ人や手指を怪我した場合などには、使用が困難であった。
【０００３】
上記の点に鑑み、本発明者は、下記特許文献１に示される筆記具を発明した。この筆記具は、先端にペン先部を有する掴持部の下面に指先が挿入できる穴部を形成した構成である。
【先行技術文献】
【特許文献】
【０００４】
【特許文献１】特許第３４１１８５３号公報
【発明の概要】
【発明が解決しようとする課題】
【０００５】
上記特許文献１の筆記具は、上記穴部に指先を挿入して持ち上げた状態で筆記可能であり、手指に障害がある場合でも容易に使用することができる。
【０００６】
しかしながら、上記の筆記具は、指先を穴部に挿入することが困難な場合、或いは、筆記具を持ち上げること自体が困難な、より重度の障害者の場合には、使用が困難であった。
【０００７】
本発明は、以上の課題を解決するものであり、その目的とするところは、筆記具を持ち上げ握持すること自体が困難な、より重度の障害者でも筆記用具として使用することができる、使用性の点でさらに前進した新たな機能を有する筆記具を提供するものである。
【課題を解決するための手段】
【０００８】
前記目的を達成するための手段を実施の形態に対応する図面を用いて説明する。
本発明に係る筆記具１０１は、略円盤形の本体部１と、本体部の外周部分から略接線方向に一体に突出形成された突出部２と、突出部２の先端に突出して設けられたペン先部３とを具備し、本体部１の外周面の一箇所を接地せしめた状態でペン先部３により接地面に筆記可能としたことを特徴とする。
ペン先部３は、ボールペン、シャープペンシル、鉛筆、フェルトペンなど各種の筆記用具を選択して用いることができる。
【０００９】
前記本体部１と前記突出部２は、プラスチックにより一体に成形されており、前記ペン先部３は突出部２の先端に着脱自在に設けられ、全体として人の手の中になじむ大きさ（直径３ｃｍ〜１０ｃｍ，望ましくは５ｃｍ程度）とされ、外周全体が略肉厚円盤形状の曲面により滑らか且つコンパクトに形成されている。
【００１０】
前記突出部２は、前記本体部１の中心線と略平行する本体部１の外周面の接線の略延長上に形成され、本体部１に対し略鳥の嘴状に一体に突出形成されている。
【００１１】
前記本体部１の内面には、外形円形状であって緩やかな凹曲面を有する凹部１ａが一体に形成されている構成とすることができる。
【００１２】
また、前記本体部１の内面には、外形円形状の透明カバー４が着脱自在に設けられ、透明カバー４の内部には文字若しくは模様による表示部５が形成された構成とすることができる。
【発明の効果】
【００１３】
本発明の筆記具によれば、本体部の外周面の一箇所を接地せしめた状態でペン先部により接地面に筆記可能とされているところから、筆記具を持ち上げなくても、ペン先部を上下に移動させつつ接地面を滑らせるようにして筆記させることができる。これにより、手に重度の障害がある人でも、筆記が可能となる。また、従来の棒状の筆記具のように、一旦指で持ち上げて握持する必要がなく、手の中に入れて、接地面を転がすようにして筆記準備状態とし、上記接地状態で筆記が可能であり、新たな機能を有する筆記具を提供するものである。
【００１４】
また、全体として手の中になじむ略円盤形のであって、外形が曲面により形成されていることから、全体としてコンパクトで親しみやすく、その手の中に入れた状態での筆記操作も容易である。これにより、障害者のみならず、一般の人でも筆記し易く、特に、曲線の筆記に適している。
【００１５】
さらに、本体部の内面に凹部を形成させることにより、凹部に指を掛けて本体部を起こした状態でペン先部で筆記でき、筆記に至るまでの用意を無理なく行うことができる。
【００１６】
本体部の内面に透明カバーによって覆われた表示部を設けることにより、メモやメッセージ、写真やキャラクター、或いは、持ち主の名前などを表示させることができ、趣味性と実用性を向上させることができる。
【図面の簡単な説明】
【００１７】
【図１】本発明に係る筆記具の正面図である。
【図２】図１のＡ−Ａ線断面図である。
【図３】本発明に係る筆記具の正面側から見た斜視図である。
【図４】本発明に係る筆記具の背面側から見た斜視図である。
【図５】（Ａ）（Ｂ）（Ｃ）は、同筆記具の使用状態を説明する図である。
【図６】は、同筆記具の筆記状態を説明する正面図である。
【図７】（Ａ）（Ｂ）は、同筆記具の他の実施の態様を示す正面図である。
【発明を実施するための形態】
【００１８】
以下、本発明に係る筆記具の実施の形態例を図１〜７を参照して説明する。
実施の形態に係る筆記具１０１は、全体として人の手の中になじむ大きさ（直径３ｃｍ〜１０ｃｍ，望ましくは５ｃｍ程度）の略円盤形とされ、硬質プラスチックにより一体に形成され、外周全体が略肉厚円盤形曲面により滑らかに形成されている。筆記具１０１は、略円盤形の本体部１と、本体部１の外周部分から略接線方向に鳥の嘴状に一体に突出形成された突出部２と、突出部２の先端に突出して設けられたペン先部３とを具備している。
本体部１の内面（正面）は、全体として、緩やかな湾曲面により凹む凹部１ａとされ、本体部１の外面（背面）は、緩やかな湾曲面により突出する凸部１ｂとされている。
【００１９】
図１に示すように、突出部２は、本体部１の中心線と略平行する本体部１の外周面の接線の略延長上に形成され、本体部１に対し略鳥の嘴状に一体に突出形成されている。突出部２の外縁面は、本体部１の外周面と接線方向に大円弧を介して連続し、突出部２の外縁面と略平行に延出される突出部２の内縁面は、本体部１の外周面と小円弧を介して連続し、突出部２の先端の内外縁面は略平行とされて、その先端面に、ペン先部３の基部が着脱自在に嵌合される嵌合孔２ａが形成されている。
【００２０】
ペン先部３は、ボールペン、シャープペンシル、鉛筆、フェルトペンなど各種の筆記用具を選択して用いることができる。
【００２１】
次に、図５及び図６を参照して、筆記具１０１の使用方法と筆記方法を説明する。
図５（Ａ）に示すように、机等の接地面Ｇに載置されている筆記具１０１の凹部１ａに指を掛けて、（Ｂ）に示すように半回転させるようにして、（Ｃ）に示すように筆記具１０１を筆記準備状態とする。
筆記具１０１では、このような筆記準備状態とする時に、通常の棒状筆記具のように、筆記具を一旦手で握持し持ち上げる必要がなく、筆記具を手で持ち上げることが困難な障害者でも容易に筆記準備状態とすることができる。
【００２２】
本発明に係る筆記具１０１の筆記準備状態では、図６に示すように、本体部１の外周面の一箇所を接地せしめた状態で、ペン先部３が接地面Ｇに接して筆記可能とされているところから、筆記状態において、２点で支持され、安定した状態で筆記ができる。また、本体部１の外周面の接地一箇所を中心として、ペン先部３を回転させることにより、容易に正確な円弧を描くことができる。
また、上記筆記状態において、手のひらの親指の付け根部分を接地させて、これを新しい指として、上記筆記準備状態とし、さらに、筆記状態とすることができる。
尚、筆記具１０１を手の中に握って持ち上げ、ペン先部３のみを接地させて筆記させることもできる。
【００２３】
図７（Ａ）（Ｂ）は、本発明に係る筆記具１０１の他の実施の形態を示している。
この他の実施の形態では、筆記具１０１の本体部１の凹部１ａに、メッセージ（Ａ）又は花などの模様（Ｂ）を記録する表示部５を設けている。
この表示部５には、実質的に透明な硬質プラスチック円板よりなる透明カバー４が着脱自在に嵌合されている。
表示部５は、着脱自在のメモや写真など、或いはキャラクターを施した円形シールにより形成しても良いし、本体部１の凹部１ａに直接書き込むようにしても良い。
【００２４】
本発明の筆記具は、障害者用のみならず一般人にも有効に使用でき、趣味性と新しい機能を有する筆記具及び筆記方法を提供するものである。
【符号の説明】
【００２５】
１０１  筆記具
１    本体部
１ａ    凹部
１ｂ    凸部
２    突出部
２ａ    嵌合孔
３  ペン先部
４  カバー
５  表示部
【図１】
2011025509.tif 000003
【図２】
2011025509.tif 000004
【図３】
2011025509.tif 000005
【図４】
2011025509.tif 000006
【図５】
2011025509.tif 000007
【図６】
2011025509.tif 000008
【図７】
2011025509.tif 000009